(57)【特許請求の範囲】
【請求項１】
上部が開口した断熱箱体の側縁の上部にガラス板を設けた平型ショーケースにおいて、前記ガラス板の上縁部に光透過性材料製の照明器ジャケットを設け、この照明器ジャケットの内部に庫内を照明する照明器を収納したことを特徴とする平型ショーケース。
【請求項２】
前記照明器ジャケットにプライスレールを取り付けたことを特徴とする請求項１記載の平型ショーケース。
【発明の詳細な説明】
【０００１】
【発明の属する技術分野】
本発明は、上部が開口した断熱箱体の内部に庫内が形成された平型ショーケースに関する。
【０００２】
【従来の技術】
一般に、上部が開口した断熱箱体の内部に庫内が形成された平型ショーケースが知られている。この種のものでは、仕切板で仕切られた庫内に、商品を区別して陳列することが行われている。
【０００３】
【発明が解決しようとする課題】
従来の平型ショーケースには庫内の商品を照明する庫内灯（照明器）が設けられておらず、庫内の商品を照明して商品のアピール度を特に高めたい場合には、平型ショーケースが設置された建物の天井に光の照射面積が狭いスポット照明器を設け、このスポット照明器の発する光で庫内の商品を照明していた。
【０００４】
しかしながら、これでは平型ショーケース、スポット照明器のレイアウトが困難になるという問題がある。
【０００５】
そこで、本発明の目的は、上述した従来の技術が有する課題を解消し、設置場所に左右されずに庫内の商品のアピール性を向上できる平型ショーケースを提供することにある。
【０００６】
【課題を解決するための手段】
請求項１記載の発明は、上部が開口した断熱箱体の側縁の上部にガラス板を設けた平型ショーケースにおいて、前記ガラス板の上縁部に光透過性材料製の照明器ジャケットを設け、この照明器ジャケットの内部に庫内を照明する照明器を収納したことを特徴とするものである。
【００１３】
この発明によれば、照明器によって庫内が照明されるので、例えば庫内に陳列された商品のアピール度を向上させることができる。また、照明器が平型ショーケースに設けられるので、平型ショーケースの設置場所が変わっても、照明器の取り付け位置を変更する必要がない。
【００１４】
請求項２記載の発明は、請求項１記載の発明において、前記照明器ジャケットにプライスレールを取り付けたことを特徴とするものである。
【００１５】
この発明によれば、プライスレールにプライスカードを取り付けて照明器を点灯すれば、照明器の光をプライスカードのバックライトとして利用できる。
【００１６】
【発明の実施の形態】
以下、本発明の一実施形態を図面に基づいて説明する。
【００１７】
図１において、符号１は本実施形態による平型ショーケースを示す。この平型ショーケース１の上面には開口３が形成され、この開口３の下方には庫内５が形成される。この庫内５の一方の対向する側面には側板７を備え、他方の対向する側面には開口９が形成され、この開口９は他の同型の平型ショーケースの開口に連結される。この平型ショーケース１を単体で設置する場合には、開口９は側板で塞がれる。符号１１は庫内５を２分する中央壁である。
庫内５は、図２に示すように、断面略コの字状の断熱箱体１３に囲まれ、この断熱箱体１３は内箱１３ａと外箱１３ｂとの間に断熱発泡材１３ｃを注入して形成される。各側板７の上半部には、外側ガラス板１５および内側ガラス板１７が設けられ、これらガラス板１５、１７の上縁部には吸込口１９が形成される。この吸込口１９は冷気通路２１に通じ、この冷気通路２１は庫内５を囲むように形成され、この冷気通路２１には冷却器２３と送風機２５とが配設される。冷気通路２１は中央壁１１の上部にまで延び、この中央壁１１の上部には吹出口２７が形成される。符号２９は開口３を覆うカバー（いわゆるナイトカバー）を巻取り式に収納するカバー収納部である。
【００１８】
このような平型ショーケース１においては、冷却器２３で冷却された冷気は、送風機２５を回転させることにより矢印方向に循環する。庫内５の冷気は吸込口１９から吸い込まれ、側板７の冷気通路２１を降下した後、冷却器２３に吸い込まれ、中央壁１１内部の冷気通路２１を上昇し、吹出口２７を通じて庫内５に吹き出される。吹き出された冷気は、庫内５内を冷却し、再び吸込口１９から吸い込まれる。
【００１９】
庫内５には仕切板３３が取り付けられる。この仕切板３３は、光透過性材料（例えば透明なアクリル樹脂）で形成され、この仕切板３３の上縁部には、図３に示すように、ジャケット支持部材３５の端縁がビス３７でビス止めされ、このジャケット支持部材３５の略円形部分に照明器ジャケット３９が締め付けられるように固定されている。この照明器ジャケット３９は円筒形状を呈し、光透過性材料（例えば透明な樹脂）で形成される。照明器ジャケット３９の内部には、図４に示すように蛍光灯（照明器）４１が収納される。
【００２０】
本実施形態では、蛍光灯として直径が約１６ｍｍの直管式蛍光灯が用いられ、この蛍光灯４１は照明器ジャケット３９の両端に形成された開口から挿入され、蛍光灯４１は前記開口を塞ぐ蛍光灯ソケット４３によって支持される。この直径が約１６ｍｍの蛍光灯４１は、近年開発された蛍光灯である。この蛍光灯４１は直径が約１６ｍｍと細いので、照明器ジャケット３９が大型化して邪魔になったり、美観を損ねることはない。
【００２１】
照明器ジャケット３９の両端の開口が蛍光灯ソケット４３で塞がれるので、照明器ジャケット３９の内部に冷気が侵入することがなく、蛍光灯４１の熱で蛍光灯４１が保温され、蛍光灯４１の照度の低下が防止される。また、蛍光灯ソケット４３は照明器ジャケット３９の両端の開口を塞ぐ蓋としての役割を兼ねた構造になっている。
【００２２】
ジャケット支持部材３５の上端には光透過性材料で形成されたプライスレール４５が取り付けられ、このプライスレール４５のカード固定部４５ｂにはプライスカード（図示せず）を着脱自在に取り付けることができる。このプライスレール４５にプライスカードを取り付けて蛍光灯４１を点灯すると、蛍光灯４１の光がプライスカードのバックライトの役割を果たし、商品販売における演出効果を高めることができる。
【００２３】
本実施形態では、仕切板３３の上縁部に蛍光灯４１が設けられるので、この蛍光灯４１によって庫内５が照明され、例えば庫内５に陳列された商品のアピール度を向上させることができる。また、蛍光灯４１が平型ショーケース１に設けられるので、平型ショーケース１の設置場所が変わっても、従来のスポット照明器のように照明器の取り付け位置を変更する必要がない。
【００２４】
また、仕切板３３は、例えば各庫内５ａ、５ｂに陳列される商品の量に応じて移動させることができる。中央壁１１には蛍光灯４１の電源プラグ５１（図１）を接続できる電源ソケット５３（図１）が複数設けられているので、仕切板３３の移動位置に応じて当該仕切板３３に最も近い電源ソケット５３に蛍光灯の電源プラグ５１を接続できる。これにより、蛍光灯４１から延びる電源コード５５（図１）が邪魔にならない。
【００２５】
また、蛍光灯４１を点灯したときには、蛍光灯４１が発する光は、図４（Ｂ）に示すように、庫内５に直接導かれるだけでなく、光は光透過性材料で形成された仕切板３３にも進入するように構成される。この仕切板３３に進入した光は仕切板３３の内部を矢印方向に進み、その一部は切り込み５７によって光が散乱し、両側の庫内５ａ、５ｂに導かれる。このように、蛍光灯４１の光は仕切板３３を介して庫内５ａ、５ｂに導くように構成されるので、庫内５ａ、５ｂの下部を照明することができる。
【００２６】
図５に示すように、前記側板７を構成するガラス板１５の上縁に蛍光灯６１を設けてもよい。ガラス板１５の上縁にジャケット支持部材６３が取り付けられ、このジャケット支持部材６３に円筒形状の照明器ジャケット６５が挟み込まれて固定され、この照明器ジャケット６５の両端の開口（図示せず）から蛍光灯６１が挿入される。照明器ジャケット６５の両端は、前記仕切板３３に取り付けられた蛍光灯６１と同様に、蛍光灯ソケット６７によって塞がれる。符号６９はプライスレールである。この場合にも、蛍光灯６１によって庫内５が照明されるので、例えば庫内５に陳列された商品のアピール度を向上させることができる。また、蛍光灯６１が平型ショーケースに設けられるので、平型ショーケース１の設置場所が変わっても、従来のスポット照明器のように照明器の取り付け位置を変更する必要がない。
【００２７】
別の実施形態として、平型ショーケース１では、仕切板３３の両側に形成された庫内５ａ、５ｂ（図１）のうち、一方の庫内５ａの冷却温度と他方の庫内５ｂの冷却温度とが異なるように制御することができる。これによれば、制御温度帯の異なる庫内５ａ、５ｂを備えるので、冷却温度の異なる商品を１台の平型ショーケース１に貯蔵できる。
【００２８】
この制御を達成するためには、冷気通路２１の全体を庫内５ａ側と庫内５ｂ側とに分割して、庫内５ａ側の冷気通路２１に配置される冷却器を大きくすると共に庫内５ｂ側の冷気通路２１に配置される冷却器を小さくする。そして、それぞれの冷却器における熱交換量に差をつけ、庫内５ａ側に吹き出される冷気の温度に対して庫内５ｂ側に吹き出される冷気の温度を高くすることができる。これにより、仕切板３３の両側に制御温度帯の異なる庫内５ａ、５ｂを形成することができる。
【００２９】
このように仕切板３３の両側の制御温度帯が異なる場合には、仕切板３３に結露や結氷が発生しやすくなる。
【００３０】
しかしながら、平型ショーケース１では仕切板３３に蛍光灯４１が設けられているので、仕切板３３に発生する結露や結氷を蛍光灯４１の発する熱や輻射熱により防止できる。
【００３１】
また、別の実施形態として、プライスレール４５の蛍光灯４１に面する部分に反射板４５ａを貼り付けることができる。
【００３２】
この反射板４５ａを貼り付ければ、蛍光灯４１の光がプライスカードのバックライトの役割を果たすことが出来ないものの、蛍光灯４１が発する光が反射板４５ａで反射して庫内５に向けて導かれるので、庫内５に陳列された商品を効率良く照明することができる。
【００３３】
以上、一実施形態に基づいて本発明を説明したが、本発明はこれに限定されるものではない。
【００３４】
本実施形態では照明器として直径が約１６ｍｍの直管式蛍光灯を用いているが、これに限定されるものではなく、構造上で設計が可能であれば、現行仕様の太い蛍光灯を用いることも可能である。
【００３５】
また、本実施形態では蛍光灯が仕切板と側壁のガラス板の上縁部に設けられているが、中央壁の上縁部（冷気吹出口の近傍）に設けてもよい。
【００３６】
また、本実施形態では複数の電源ソケットが中央壁に設けられるが、側板に設けてもよい。
【００３７】
また、プライスレール、照明器ジャケット、仕切板を一体に形成してもよい。これによれば、ジャケット支持部材が不必要になるばかりでなく、部品点数が削減され、仕切板の製造コストを低減できる。
【００３８】
【発明の効果】
請求項１記載の発明によれば、ガラス板の上縁部に光透過性材料製の照明器ジャケットを設け、この照明器ジャケットの内部に庫内を照明する照明器を収納したので、照明器によって庫内が照らされ、例えば庫内に陳列された商品のアピール度を向上させることができる。また、照明器が平型ショーケースに設けられるので、平型ショーケースの設置場所が変わっても、照明器の取り付け位置を変更する必要がない。
【００４２】
請求項２記載の発明によれば、照明器ジャケットにプライスレールを取り付けたので、プライスレールにプライスカードを取り付けて照明器を点灯すれば、照明器の光をプライスカードのバックライトとして利用でき、例えば商品販売上の演出効果を高めることができる。
【図面の簡単な説明】
【図１】本実施形態による平型ショーケースを示す斜視図である。
【図２】図１の平型ショーケースを示す断面図である。
【図３】図１の仕切板を示す平面図（Ａ）とその側面図（Ｂ）である。
【図４】図３の仕切板の要部拡大平面図（Ａ）とその側面図（Ｂ）である。
【図５】図１の側板の構造を示す断面図である。
【符号の説明】
１  平型ショーケース
５  庫内
３９  照明器ジャケット
４１  蛍光灯（照明器）
４５  プライスレール
５１  電源プラグ
５３  電源ソケット
６１  蛍光灯
６５  照明器ジャケット
６９  プライスレール
【図１】
0003639444.tif 000002
【図２】
0003639444.tif 000003
【図３】
0003639444.tif 000004
【図４】
0003639444.tif 000005
【図５】
0003639444.tif 000006